(57)【要約】【課題】地上波デジタルテレビジョン放送以外のものが表示されている場合において音声がミュートするのを低減すること。【解決手段】移動体に搭載され、地上波デジタルテレビジョン放送を受信する車載デジタルＴＶ受信機に、表示内容を判定する表示判定手段により判定された表示内容に基づいて、前記固定受信装置向けデジタル放送と、前記移動体受信装置向けデジタル放送とを切り替える切替手段を備える。地上波デジタルテレビジョン放送は、固定受信装置向けデジタル放送と、移動体受信装置向けデジタル放送とが含まれる。【選択図】図１
2009165076.tif 000002
【特許請求の範囲】
【請求項１】
移動体に搭載され、地上波デジタルテレビジョン放送を受信する車載デジタルＴＶ受信機であって、
前記地上波デジタルテレビジョン放送は、固定受信装置向けデジタル放送と、移動体受信装置向けデジタル放送とを含み、
表示内容を判定する表示判定手段により判定された表示内容に基づいて、前記固定受信装置向けデジタル放送と、前記移動体受信装置向けデジタル放送とを切り替える切替手段
を備えることを特徴とする車載デジタルＴＶ受信機。
【請求項２】
請求項１に記載の車載デジタルＴＶ受信機において、
前記切替手段は、表示内容が、前記地上波デジタルテレビジョン放送以外である場合には前記移動体受信装置向けデジタル放送に切り替えることを特徴とする車載デジタルＴＶ受信機。
【請求項３】
移動体に搭載され、地上波デジタルテレビジョン放送を受信する車載デジタルＴＶ受信機におけるデジタル放送受信方法であって、
前記地上波デジタルテレビジョン放送は、固定受信装置向けデジタル放送と、移動体受信装置向けデジタル放送とを含み
表示内容を判定する表示判定手段が表示内容を判定する表示判定ステップと、
前記表示判定ステップにより判定された表示内容に基づいて、前記固定受信装置向けデジタル放送と、前記移動体受信装置向けデジタル放送とを切り替える切替ステップと
を有することを特徴とするデジタル放送受信方法。
【発明の詳細な説明】
【技術分野】
【０００１】
本発明は、移動体用デジタル放送受信装置に係り、特に、固定向けデジタル放送と移動体向けデジタル放送とを適宜選択して利用者に対して出力する移動体用デジタル放送受信装置及びデジタル放送受信方法に関する。
【背景技術】
【０００２】
車両などの移動体に搭載され、地上波デジタルテレビジョン放送としての、鮮明画像の提供が可能な高ビットレートの固定向けデジタル放送と、移動体での受信に適した低ビットレートの移動体向けデジタル放送と、を共に受信し得るデジタル放送受信装置が知られている。
【０００３】
移動体向けデジタル放送は、固定向けデジタル放送に比べてデータ量が小さいため、相対的に映像・音声の質の低下を招かざるを得ない。一方、固定向けデジタル放送は、映像・音声の質を極めて高く保つことはできるが、移動体向けデジタル放送に比べて非受信となる受信レベルが高いため、移動体の移動中における受信に対して不向きである。そこで、従来の受信装置においては、移動速度や環境などの状況によっては移動体でも相対的に高品位の固定向け放送を受信できる可能性があることを考慮して、同一番組を放送するサイマル放送が行われる状況で、受信・出力する放送が固定向けデジタル放送と移動体向けデジタル放送とで適宜選択的に切り替わるようにしている。
【０００４】
また、デジタル放送及びアナログ放送の両方を受信可能であり、かつ移動により各放送の受信状況が変化した際に、ユーザーに対して常に最適な音声及び映像情報を提供することが可能な受信制御方法を備えたナビゲーション装置が開示されている（例えば、特許文献１参照）。
【特許文献１】特開２００７−１２４２１１号公報
【発明の開示】
【発明が解決しようとする課題】
【０００５】
しかしながら、上述した背景技術には以下の問題がある。
【０００６】
上述した受信装置においては、受信電力又は受信率の値でのみ、固定向けデジタル放送と移動体向けデジタル放送の切り替えのタイミングが制御される。このような制御が行われた場合、受信電力又は受信率の変動が激しい環境の下では、受信エラーが発生する。その結果、映像と音声がミュートする。また、固定向けデジタル放送と移動体向けデジタル放送とが頻繁に切り替えられると、その切り替えの度に音声が途切れる問題がある。例えば、受信装置が搭載された車両が走行中である場合には、フェージング等により、受信電力又は受信率の変動が激しくなる。
【０００７】
また、車両に搭載されたディスプレイには、ナビ画面など、地上波デジタルテレビジョン放送以外のものが表示されている場合がある。このような場合に、映像と音声がミュートすると、ユーザは放送内容を追うことができなくなり、該放送内容を把握するのが困難になる。このため、クレーム、すなわち苦情が多くなる。
【０００８】
そこで、本発明は、上述の問題点のうち少なくとも１つを解決するためになされたものであり、地上波デジタルテレビジョン放送以外のものが表示されている場合において音声がミュートするのを低減することができる車載デジタルＴＶ受信機及びデジタル放送受信方法を提供することを目的とする。
【課題を解決するための手段】
【０００９】
上記課題を解決するため、この車載デジタルＴＶ受信機は、
移動体に搭載され、地上波デジタルテレビジョン放送を受信する車載デジタルＴＶ受信機であって、
前記地上波デジタルテレビジョン放送は、固定受信装置向けデジタル放送と、移動体受信装置向けデジタル放送とを含み、
表示内容を判定する表示判定手段により判定された表示内容に基づいて、前記固定受信装置向けデジタル放送と、前記移動体受信装置向けデジタル放送とを切り替える切替手段
を備えることを要件とする。
【００１０】
このように構成することにより、車両ディスプレイの表示内容に基づいて、固定受信装置向けデジタル放送と、移動体受信装置向けデジタル放送とを切り替えることができる。
【００１１】
さらに、別の構成では、
前記切替手段は、表示内容が、前記地上波デジタルテレビジョン放送以外である場合には前記移動体受信装置向けデジタル放送に切り替えるように構成される。
【００１２】
このように構成することにより、車両ディスプレイの表示内容が、地上波デジタルテレビジョン放送以外である場合には、移動体受信装置向けデジタル放送に優先して切り替えられるため、映像と音声がミュートするのを低減できる。
【００１３】
このデジタル放送受信方法は、
移動体に搭載され、地上波デジタルテレビジョン放送を受信する車載デジタルＴＶ受信機におけるデジタル放送受信方法であって、
前記地上波デジタルテレビジョン放送は、固定受信装置向けデジタル放送と、移動体受信装置向けデジタル放送とを含み
表示内容を判定する表示判定手段が表示内容を判定する表示判定ステップと、
前記表示判定ステップにより判定された表示内容に基づいて、前記固定受信装置向けデジタル放送と、前記移動体受信装置向けデジタル放送とを切り替える切替ステップと
を有すること要件とする。
【００１４】
このようにすることにより、車両ディスプレイの表示内容に基づいて、固定受信装置向けデジタル放送と、移動体受信装置向けデジタル放送とを切り替えることができる。
【発明の効果】
【００１５】
開示の車載デジタルＴＶ受信機及びデジタル放送受信方法によれば、地上波デジタルテレビジョン放送以外のものが表示されている場合において音声がミュートするのを低減することができる。
【発明を実施するための最良の形態】
【００１６】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００１７】
（第１の実施例）
本発明の第１の実施例に係る車載デジタルＴＶ受信機について、図１を参照して説明する。
【００１８】
本実施例に係る車載デジタルＴＶ受信機１００は、移動体に搭載され、各放送局から中継局等を介して送信される地上波デジタルテレビジョン(DTV:  Digital  Television)放送を受信する。移動体には、車両が含まれる。
【００１９】
地上波デジタルＴＶ放送では、各放送局に割り当てられた伝送帯域が複数のセグメントに分割され、１つ以上のセグメントで構成される階層を複数同時に伝送する階層伝送が行われる。階層伝送では、階層を構成するセグメント数が多いほど、高解像度の映像を伝送できるが、車両等において移動中にデータ誤り無く受信するのは困難になる。そこで、例えば、日本が準拠しているＩＳＤＢ−Ｔ(Integrated  Services  Digital  Broadcasting for  Terrestrial)方式では、１チャネルのデジタル放送用帯域を１３個のセグメントに分割し、その中の１２個のセグメントを使用して固定受信装置向けに高解像度の映像を提供し、残りの１個のセグメントを使用して移動体受信装置向けに伝送誤りに対する耐性の高い伝送方式による低解像度の映像を提供する。
【００２０】
１２個のセグメントを使用した固定受信装置向けのデジタル放送（以下、固定向けデジタル放送と呼ぶ）は、例えばＭＰＥＧ−２により圧縮され符号化された高ビットレートの放送であり、１個のセグメントを使用した移動体受信装置向けのデジタル放送（以下、移動体向けデジタル放送と呼ぶ）は、例えばＭＰＥＧ−４により圧縮され符号化された低ビットレートの放送である。
【００２１】
固定向けデジタル放送は、高ビットレートのため、映像・音声の質が極めて優れている。一方、移動体向けデジタル放送は、低ビットレートのため、映像・音声の質が相対的に劣る。また、固定向けデジタル放送は、高ビットレートに起因して移動時にフェージング等による受信電力の変動が生じるため或いは非受信となる受信レベルが高いため、移動体の移動中における受信に対して不向きである。一方、移動体向けデジタル放送は、低ビットレートのため、移動体での受信に適している。
【００２２】
本実施例に係る車載デジタルＴＶ受信機１００は、固定向け放送と移動体向け放送の受信切替を、該車載デジタルＴＶ受信機置１００が搭載された車両周辺の電波状態と該車両に搭載されたディスプレイの使用状態に基づいて行う。言い換えれば、電波状況に加え、車両に搭載されたディスプレイに地上波デジタルテレビジョン放送が表示されているか否かに基づいて、固定受信装置向けデジタル放送と、移動体受信装置向けデジタル放送とが切り替えられる。上述したように地上波デジタルテレビジョン放送には、固定受信装置向けデジタル放送と、移動体受信装置向けデジタル放送とが含まれる。
【００２３】
車両に搭載されたディスプレイには、デジタル放送だけでなく、デジタル放送以外の表示も行われる。例えば、デジタル放送以外としては、ナビゲーションシステムにおける案内画面、いわゆるナビ画面、オーディオにおける表示画面、エアコンにおける表示画面及び車載端末向け情報ネットワークにおける表示画面が含まれる。また、エネルギーフローを示すエネルギーモニターが含まれるようにしてもよい。エネルギーフローを示すエネルギーモニターは、例えば、該車載デジタルＴＶ受信機が搭載された車両がハイブリッド車両である場合に表示される。そこで、本実施例においては、車両ディスプレイの表示内容がデジタル放送でない場合には移動体向けデジタル放送を受信し、ディスプレイの表示内容がデジタル放送である場合には、その電波状態に基づいて、固定向けデジタル放送を受信できる場合には固定向けデジタル放送を受信し、固定向けデジタル放送を受信できない場合には移動体向けデジタル放送を受信する。
【００２４】
本実施例に係る車載デジタルＴＶ受信機１００は、地上波デジタルテレビジョン放送の放送波を受信するアンテナ１０２と、該アンテナ１０２に接続されたフロントエンド部１０４と、該フロントエンド部１０４に接続されたＯＦＤＭ(Orthogonal  Frequency  Division  Multiplexing:  直交周波数分割多重）復調部１０６と、該ＯＦＤＭ復調部１０６に接続された切替制御部１０８と、該切替制御部１０８と接続された固定向けデジタル放送デコード部１１４及び移動体向けデジタル放送デコード部１１６と、固定向けデジタル放送デコード部１１４及び移動体向けデジタル放送デコード部１１６と接続されたＤＴＶ出力部１１８とを備える。また、本実施例に係る移動体用デジタル受信放送装置１００は、フロントエンド部１０４、ＯＦＤＭ復調部１０６及び切替制御部１０８と接続された受信状況判定部１１２を備える。アンテナ１０２、フロントエンド部１０４及びＯＦＤＭ復調部１０６は、固定向けデジタル放送と移動体向けデジタル放送とで共用される。
【００２５】
また、本実施例に係る車載デジタルＴＶ受信システムは、車載デジタルＴＶ受信機１００と、車載デジタルＴＶ受信機１００のＤＴＶ出力部１１８と接続された映像表示部３００及びスピーカ４００と、車載デジタルＴＶ受信機１００の切替制御部１０８及び映像表示部３００と接続された映像表示モード管理部２００とを有する。
【００２６】
ここで、映像表示部３００及びスピーカ４００は、ナビゲーション装置に含まれるようにしてもよい。
【００２７】
フロントエンド部１０４は、選局されたチャンネルのチャンネル周波数に同調し、アンテナ１０２に受信された放送波を中間周波数に変換し増幅する。そして、フロントエンド部１０４は、中間周波数の信号レベルを検出し、その信号レベルに基づいてアンテナ１０２に受信される放送波のレベル変化（受信電界強度）を検出し、検出結果を放送波の受信状況データとして、受信状況判定部１１２に入力する。また、受信状況データとして、受信電力を検出するようにしてもよい。
【００２８】
ＯＦＤＭ復調部１０６は、フロントエンド部１０４により入力された放送信号の復調・復号を行う。ＯＦＤＭ復調部１０６は、放送信号を同期しながら復調し、誤り検出及び訂正を行った後に復号したトランスポートストリーム（TS:  Transport  Stream）を切替制御部１０８に入力する。ＯＦＤＭ復調部１０６は、ＴＳのパケットエラーの有無からその発生率を測定し、或いは、誤り訂正前後のビットエラー率を検出し、発生率或いは検出結果を放送波の受信状況データとして、受信状況判定部１１２に入力する。また、受信状況データとして、受信率を検出するようにしてもよい。受信率とは、全受信期間における、音声又は映像が正確に出力できている期間の割合を示す。例えば、ビットエラー率が含まれる。
【００２９】
固定向けデジタル放送デコード部１１４は、地上波デジタルテレビジョン放送のうち固定向けデジタル放送に関する放送信号をデコード（復号）し、復号された映像・音声信号をＤＴＶ出力部１１８へ入力する。固定向けデジタル放送デコード部１１４は、ＯＦＤＭ復調部１０６から切替制御部１０８を介して入力されたＴＳを映像・音声信号に変換する。また、固定向けデジタル放送デコード部１１４は、有料放送などの暗号化されたＴＳを所定の暗号キーを用いて解読する。
【００３０】
移動体向けデジタル放送デコード部１１６は、地上波デジタルテレビジョン放送のうち移動体向けデジタル放送に関する放送信号をデコードし、復号された映像・音声信号をＤＴＶ出力部１１８へ入力する。移動体向けデジタル放送デコード部１１６は、ＯＦＤＭ復調部１０６から切替制御部１０８を介して入力されたＴＳを映像・音声信号に変換する。また、移動体向けデジタル放送デコード部１１６は、有料放送などの暗号化されたＴＳを所定の暗号キーを用いて解読する。
【００３１】
ＤＴＶ出力部１１８は、車両に乗車する乗員に視聴可能なディスプレイ（映像表示部３００）やスピーカ４００を制御する。ＤＴＶ出力部１１８は、デジタル放送を表示することが選択された場合には、固定向けデジタル放送デコード部１１４又は移動体向けデジタル放送デコード部１１６により入力された映像・音声信号を映像として映像表示部３００に表示したり或いは音声としてスピーカ４００から出力したりする。例えば、映像表示部３００及びスピーカ４００は、ナビゲーション装置３００が有するものを用いてもよい。
【００３２】
映像表示部３００は、地上波デジタルテレビジョン放送及び地上波デジタルテレビジョン放送以外の表示（映像出力）を行う。地上波デジタルテレビジョン放送以外の表示には、上述したようにナビゲーションシステムにおける案内画面、いわゆるナビ画面が含まれる。また、エネルギーモニター等が含まれるようにしてもよい。地上波デジタルテレビジョン放送には、固定向けデジタル放送と、移動体向けデジタル放送とが含まれる。また、映像表示部３００は、映像表示モード管理部２００による表示内容の問い合わせに応じて、映像表示部３００に表示されている内容を示す表示情報を通知する。
【００３３】
スピーカ４００は、固定向けデジタル放送デコード部１１４又は移動体向けデジタル放送デコード部１１６により入力された音声信号を、音声として出力する。
【００３４】
受信状況判定部１１２は、フロントエンド部１０４及びＯＦＤＭ復調部１０６により入力された受信状況データに基づいて、固定向け放送を受信できるか否かを判定する。ここで、受信状況データには、受信電界強度、受信電力、ＴＳのパケットエラー、ビットエラー率、受信率が含まれる。例えば、受信電界強度及び受信電力はフロントエンド部１０４により入力され、ＴＳのパケットエラー、ビットエラー率及び受信率はＯＦＤＭ復調部１０６により入力される。例えば、受信状況判定部１１２は、固定向けデジタル放送の放送波に関する受信状況の良否を示す程度（度合い）を求め、該受信状況の良否を示す程度に基づいて、固定向けデジタル放送を受信できるか否かを判定する。受信状況の良否を示す程度には、例えば、単位時間当たりにおける音声・映像を正常に出力する期間（累計）の割合（受信率）や受信電力、ビットエラー率自体等が含まれる。
【００３５】
映像表示モード管理部２００は、映像表示部３００に表示されている内容を判定し、その表示画面情報を切替制御部１０８に入力する。例えば、映像表示モード管理部２００は、映像表示部３００に対して、表示されている内容を問い合わせる。映像表示部３００は、表示されている内容を常に把握している。例えば、映像表示モード管理部２００は、映像表示部３００に対して、地上波デジタルテレビジョン放送が表示されているか否かを問い合わせる。
【００３６】
切替制御部１０８には、設定情報を示す設定信号が入力される。例えば、ユーザが操作することにより選択された設定信号が入力される。例えば、ユーザに対して、図２に示されるような画面表示において、「受信レベルに応じて自動切換え」、「画面モードに応じて自動切換え」、「自動切換えオフ」のうちからいずれかを選択させるようにしてもよい。例えば、映像表示部３００がタッチパネルにより構成されている場合には、所望の設定に触れることにより選択するようにしてもよい。「受信レベルに応じて自動切換え」が選択された場合には、切替制御部１０８は、受信レベルに応じて、固定向けデジタル放送と移動体向けデジタル放送とを切換える。「画面モードに応じて自動切換え」が選択された場合には、切替制御部１０８は、後述するが、画面モードに応じて、固定向けデジタル放送と移動体向けデジタル放送とを切換える。「自動切換えオフ」が選択された場合には、切替制御部１０８は、固定向けデジタル放送と移動体向けデジタル放送との自動切換えを行わない。この場合、切替制御部１０８は、固定向けデジタル放送と移動体向けデジタル放送とのうち、選択されたデジタル放送をＤＴＶ出力部１１８から出力させる。
【００３７】
以下、ユーザによる操作により、「画面モードに応じて自動切換え」が選択された場合について説明する。
【００３８】
切替制御部１０８は、映像表示モード管理部２００により入力される表示内容（表示画面情報）及び受信状況判定部１１２により入力される固定向け放送を受信できるか否かの判定結果に基づいて、固定向けデジタル放送と移動体向けデジタル放送との何れの放送波をＤＴＶ出力部１１８から出力させるかを判断する。具体的には、映像表示モード管理部２００により入力された表示内容が地上波デジタルテレビジョン放送以外である場合には、切替制御部１０８は、移動体向けデジタル放送を表示させると判断し、移動体向けデジタル放送の放送波を移動体向けデジタル放送デコード部１１６に入力する。このようにすることにより、表示内容が地上波デジタルテレビジョン放送以外である場合に、移動体向けデジタル放送と固定向けデジタル放送とが切替えられることによる音切れを無くすことができる。映像表示モード管理部２００により入力された表示内容が地上波デジタルテレビジョン放送である場合には、切替制御部１０８は、受信状況判定部１１２により入力される固定向けデジタル放送を受信できるか否かの判定結果に基づいて、固定向けデジタル放送を受信できる場合には、固定向けデジタル放送を表示させると判断し、固定向けデジタル放送の放送波を固定向けデジタル放送デコード部１１４に入力し、固定向けデジタル放送を受信できない場合には、移動体向けデジタル放送を表示させると判断し、移動体向けデジタル放送の放送波を移動体向けデジタル放送デコード部１１６に入力する。
【００３９】
次に、本実施例に係る移動体用デジタル放送受信装置１００の動作について、図３を参照して説明する。
【００４０】
ここでは、ユーザによる操作により、画面モードに応じて自動切換えが選択された場合について説明する。
【００４１】
映像表示モード管理部２００は、映像表示部３００から表示画面情報を取得する。そして、映像表示モード管理部２００は、取得した表示画面情報に基づいて、該表示画面が変更されたか否かを判断する。映像表示モード管理部２００は、表示画面が変更されていない場合には、継続して表示画面情報を取得する。また、映像表示モード管理部２００は、表示画面が変更されている場合には、切替制御部１０８に、映像表示部３００の表示画面情報が切替えられたことを示す表示画面モードの切替え情報を入力する。切替制御部１０８は、表示画面モードの切替え情報を取得する（ステップＳ３０２）。
【００４２】
切替制御部１０８は、入力された表示画面モードの切替え情報に基づいて、映像表示部３００の表示内容が、地上波デジタルテレビジョン放送であるかを判定する（ステップＳ３０４）。
【００４３】
映像表示部３００の表示内容が地上波デジタルテレビジョン放送であると判定された場合（ステップＳ３０４：ＹＥＳ）、受信状況判定部１１２は、フロントエンド部１０４及びＯＦＤＭ復調部１０６により入力された受信状況データに基づいて、固定向け放送を受信できるか否かを判定し、該判定結果が固定向けデジタル放送を受信できるものである場合に、切替制御部１０８は、固定向けデジタル放送を受信すると判断する（ステップＳ３０６）。この場合、切替制御部１０８は、固定向けデジタル放送の放送波を固定向けデジタル放送デコード部１１４に入力する。固定向けデジタル放送デコード部１１４は、地上波デジタルＴＶ放送のうち固定向けデジタル放送に関する放送信号をデコードし、復号された映像・音声信号をＤＴＶ出力部１１８へ入力する。ＤＴＶ出力部１１８は、固定向けデジタル放送デコード部１１４により入力された映像・音声信号を映像として映像表示部３００に表示したり或いは音声としてスピーカ４００から出力したりする（ステップＳ３１０）。
【００４４】
固定向けデジタル
放送は、高ビットレートに起因して移動によるフェージングの影響を受け易くなり或いは電波が弱くなると受信し難くなるので、移動体での受信に不向きであるが、映像・音声の質が極めて優れたものとなる。このため、地上波デジタルテレビジョン放送が表示されている場合には、可能であれば固定向けデジタル放送を表示する方が好ましい。そこで、固定向けデジタル放送を受信できると判定された場合には、固定向けデジタル放送を表示する。
【００４５】
一方、ステップＳ３０４において、映像表示部３００の表示内容が地上波デジタルテレビジョン放送でない場合（ステップＳ３０４：ＮＯ）、切替制御部１０８は、移動体向けデジタル放送を受信すると判断する（ステップＳ３０８）。この場合、切替制御部１０８は、移動体向けデジタル放送の放送波を移動体向けデジタル放送デコード部１１６に入力する。移動体向けデジタル放送デコード部１１６は、地上波デジタルＴＶ放送のうち移動体向けデジタル放送に関する放送信号をデコードし、復号された映像・音声信号をＤＴＶ出力部１１８へ入力する。ＤＴＶ出力部１１８は、移動体向けデジタル放送デコード部１１６により入力された映像・音声信号を映像として映像表示部３００に表示したり或いは音声としてスピーカ４００から出力したりする（ステップＳ３１０）。
【００４６】
移動体向けデジタル放送は、低ビットレートのため、映像・音声の質が相対的に劣ったものとなるが、電波が弱くなっても受信することができるので、移動体での受信に適している。このため、音声の途切れなく、地上波デジタルＴＶ放送以外の表示から移動体向けデジタル放送の表示に切り替えることができる。
【００４７】
本実施例によれば、表示内容が地上波デジタルテレビジョン放送以外である場合に、移動体向けデジタル放送と固定向けデジタル放送とが切替えられることによる音途切れ、不連続な音飛びを無くすことができる。ここで、不連続な音飛びとは、固定向けデジタル放送及び移動体向けデジタル放送におけるチューナのデコード処理の違いにより生じる、聴感上発生するタイムラグである。例えば、１秒程度の音飛びである。
【００４８】
また、表示内容が地上波デジタルテレビジョン放送以外である場合に、固定向けデジタル放送が出力されていることにより生じる映像と音声とがミュートすることを軽減できる。
【００４９】
（第２の実施例）
本発明の第２の実施例に係る車載デジタルＴＶ受信機について、図４を参照して説明する。本実施例に係る車載デジタルＴＶ受信機１００の構成は、図１を参照して説明した車載デジタルＴＶ受信機において、切換制御部１０８に接続された受光部１２０と、車載デジタルＴＶ受信機１００を操作するためのリモコン装置５００を有する。車載デジタルＴＶ受信機１００は、家庭用ＴＶリモコン装置５００と適合する操作系を有する。すなわち、家庭用ＴＶリモコン装置５００により操作できる。リモコン装置５００と車載デジタルＴＶ受信機１００は、所定の方法により初期登録が行われる。
【００５０】
本実施例に係る車載デジタルＴＶ受信機１００では、リモコン装置５００をユーザが操作することによりその放送を切り替えるようにしたものである。ここで、操作パターンをリモコンボタンに割り当てることができる観点からは、リモコン装置５００は、家庭用のＴＶに使用されているリモコン装置であることが好ましい。デジタルＴＶには、データ放送／放送切替え／画面切替えなど操作パターンが非常に多く、タッチパネル上に割り当てることが困難であるためである。また、デジタルＴＶでは、ある操作が選択された後に、該選択された操作に関する操作が必要になる。このような操作をタッチパネルで実現しようとした場合には、画面の階層を深くせざるを得ず、ユーザにとってはスムーズな操作が困難となる。そこで、本実施例においては、車載デジタルＴＶ受信機１００の操作を、家庭用のＴＶで使用されるリモコン装置と同等のボタンを有するリモコン装置により操作可能とする。
【００５１】
受光部１２０は、リモコン装置５００により送信された操作信号を切替制御部１０８に入力する。切替制御部１０８は入力された操作信号に従って所定の処理を行う。ここで、所定の処理には、図２を参照して説明した受信レベルに応じて自動切換え、画面モードに応じて自動切換え、自動切換えオフの処理が含まれる。
【００５２】
このようにすることにより、図５に示すように家庭用ＴＶリモコン装置５００で車載デジタルＴＶ受信機１００の操作できる。ユーザは操作慣れしているリモコン装置５００を、そのまま車載デジタルＴＶ受信機１００に対して使用できる。このため、ユーザに対する利便性を向上させることができる。
【００５３】
図４では、受光部１２０が、車載デジタルＴＶ受信機１００の内部に備えられる場合について説明したが、ユーザが映像表示部３００に向けてリモコン装置５００を操作した場合に、該操作信号を確実に受光できる観点からは、図６に示すように、映像表示部３００の周辺に受光部１２０を配置するのが好ましい。
【００５４】
（第３の実施例）
本発明の第３の実施例に係る車載デジタルＴＶ受信機について説明する。本実施例に係る車載デジタルＴＶ受信機１００の構成は、図１及び図４を参照して説明した構成と同様である。
【００５５】
本実施例に係る車載デジタルＴＶ受信機では、切替制御部１０８に入力される設定信号の種類を増加させたものである。例えば、ユーザは、上述した実施例よりも多い設定情報から選択できる。例えば、ユーザに対して、図７に示されるような画面表示において、図２を参照して説明した「受信レベルに応じて自動切換え」、「画面モードに応じて自動切換え」及び「自動切換えオフ」に加え、「地図情報データによる自動切換え」及び「ユーザ設定切替え」のうちからいずれかを選択させるようにしてもよい。例えば、映像表示部３００がタッチパネルにより構成されている場合には、所望の設定に触れることにより選択するようにしてもよい。「地図情報データによる自動切換え」が選択された場合には、切替制御部１０８は、受信可否情報と地図情報とを蓄積して、エラー率の高いエリアは、前もって移動体向けデジタル放送に切換える。「ユーザ設定切替え」が選択された場合には、切替制御部１０８は、ユーザにより、エリア毎に固定向けデジタル放送又は移動体向けデジタル放送を指定させておき、該指定に応じて切替えを行う。例えば、高速道路では、移動体向けデジタル放送とするなどの指定が可能である。
【００５６】
このように構成することにより、上述した実施例では、画面モードについての固定向けデジタル放送と移動体向けデジタル放送との切替えであったが、この切替えに加え、地図情報による切替え、受信レベルによる切替えなど、ユーザに選択の幅を持たせることができる。本実施例では、ユーザにより選択される設定情報の例として、地図情報について説明したが、適宜他の設定情報に基づいて選択させるようにしてもよい。
【００５７】
説明の便宜上、発明の理解を促すため具体的な数値例を用いて説明されるが、特に断りのない限り、それらの数値は単なる一例に過ぎず適切な如何なる値が使用されてよい。
【００５８】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００５９】
【図１】本発明の一実施例にかかる車載デジタルＴＶ受信機を示す部分ブロック図である。
【図２】設定画面の一例を示す説明図である。
【図３】本発明の一実施例にかかる車載デジタルＴＶ受信機におけるデジタル放送受信方法を示すフロー図である。
【図４】本発明の一実施例にかかる車載デジタルＴＶ受信機を示す部分ブロック図である。
【図５】本発明の一実施例にかかる車載デジタルＴＶ受信機に対して使用されるリモコン装置を示す説明図である。
【図６】本発明の一実施例にかかる車載デジタルＴＶ受信機に対して使用されるリモコン装置を示す説明図である。
【図７】設定画面の一例を示す説明図である。
【符号の説明】
【００６０】
１００  車載デジタルＴＶ受信機１００
１０２  アンテナ
１０４  フロントエンド部
１０６  ＯＦＤＭ復調部
１０８  切替制御部
１１２  受信状況判定部
１１４  固定向けデジタル放送デコード部
１１６  移動体向けデジタル放送デコード部
１１８  ＤＴＶ出力部
１２０  受光部
２００  映像表示モード管理部
３００  映像表示部
４００  スピーカ
５００  リモコン装置
【図１】
2009165076.tif 000003
【図２】
2009165076.tif 000004
【図３】
2009165076.tif 000005
【図４】
2009165076.tif 000006
【図５】
2009165076.tif 000007
【図６】
2009165076.tif 000008
【図７】
2009165076.tif 000009